(57)【特許請求の範囲】
【請求項１】
通信回線を介して端末とサーバとを接続したＷｅｂシステムの時間設定方法であって、
ある時間を時刻毎に分割して、前記時刻毎に１対１に対応して設けられた選択ボタンを時間の流れに沿って並べて選択ボタン群を形成し、
前記選択ボタン群全体と、第１番目に設定される時刻を表示する第１時刻領域と、第２番目に設定される時刻を表示する第２時刻領域とを端末の表示手段の表示領域に表示して、時刻設定の繰り返し回数として初期値を設定し、
前記繰り返し回数が初期値であるときに、前記表示手段の表示領域を移動する選択手段を用いて、第１番目に設定される時刻に対応した前記選択ボタンを選択して、この選択した前記選択ボタンに対応した時刻を第１番目に設定される時刻として前記第１時刻領域に表示するとともに前記選択ボタンの色を第１番目に設定される時刻として選択された旨を表す色に着色した後、前記繰り返し回数を１段階増加し、
前記繰り返し回数が初期値を１段階増加した値であるときに、前記表示手段の表示領域を移動する選択手段を用いて、第２番目に設定される時刻に対応した前記選択ボタンを選択し、この選択した前記選択ボタンに対応した時刻を第２番目に設定される時刻として前記第２時刻領域に表示するとともに前記選択ボタンの色を第２番目に設定される時刻として選択された旨を表す色に着色した後、前記繰り返し回数をさらに１段階増加し、
設定された前記繰り返し回数と、設定されるべき時刻の数と同じであるか否かを判断した後、設定された前記繰り返し回数と設定されるべき時刻の数とが同じときに、第１番目に選択された前記選択ボタンに対応した時刻データおよび第２番目に選択された前記選択ボタンに対応した時刻データを前記端末から前記サーバに出力し、
これらの前記時刻データを前記サーバに設けられたデータベースに登録して、時刻を設定する、
ことを特徴とする時間設定方法。
【請求項２】
入力された時刻データを通信回線を介してサーバに登録する端末であって、
ある時間を時刻毎に分割して前記時刻毎に１対１に対応して設けられた選択ボタンを時間の流れに沿って並べて形成された選択ボタン群と入力された第１番目に設定される第１時刻を表示する第１時刻領域と入力された第２番目に設定される第２時刻を表示する第２時刻領域とを表示領域に表示する表示手段と、
前記表示手段の表示領域を移動し、該表示領域に表示された選択ボタンを選択する選択手段と、
前記選択手段により前記選択ボタンが選択された回数を計数するための変数である繰り返し回数を記憶する記憶手段と、
前記選択ボタン群の中からある選択ボタンが前記選択手段により選択された場合、前記記憶手段に記憶されている繰り返し回数に基づいて、前記ある選択ボタンに対応する時刻が第１時刻と第２時刻との何れであるかを判定する時刻種別判定手段とを備え、
前記表示手段は、前記時刻種別判定手段による判定結果に応じて、前記第１時刻領域又は前記第２時刻領域に前記ある選択ボタンに対応する時刻を表示するとともに、前記ある選択ボタンを前記判定結果に応じた色に着色することを特徴とする端末。
【請求項３】
前記選択ボタンにより選択された時刻を消去する取消ボタンを前記表示手段に表示し、
前記取消ボタンを前記選択手段で選択して、この前記取消ボタンの選択直前において前記選択ボタンにより選択されている時刻を消去するとともに、前記選択直前の操作によって設定された繰り返し回数を１段階減少する、
ことを特徴とする請求項１に記載の時間設定方法。
【発明の詳細な説明】
【技術分野】
【０００１】
本発明は時間設定方法および端末に関するものである。
【背景技術】
【０００２】
Ｗｅｂシステム上で時刻や日付、曜日等の時間を設定する方法には、端末の画面に表示される時間設定画面中のテキストボックスに所定の時間（時刻や日付、曜日等）を入力して設定する場合や、プルダウンメニューの中から所定の時間を選択して設定する場合がある。時間設定方法についての具体的な一例を説明すると、次のようになる。図６は従来技術に係る時間設定方法の表示画面を示す説明図である。ここで図６（Ａ）はテキストボックスを用いる場合の説明図であり、図６（Ｂ）はプルダウンメニューを用いる場合の説明図である。なお、この例では、ある作業の開始時刻と終了時刻を設定する場合について説明する。
【０００３】
まず図６（Ａ）に示されるテキストボックス２が用いられる場合、時刻設定画面１には、開始時刻および終了時刻の時分が入力される矩形のテキストボックス２（領域）が設けられるとともに、このテキストボックス２に入力された数字の取消ボタン４と、入力された時刻の設定ボタン５が設けられている。そして数字をテキストボックス２へ入力するには、端末に設けられたキーボード等が用いられていた。なおテキストボックスに日時を入力することについて開示されたものとして、例えば特許文献１が挙げられる。
【０００４】
また図６（Ｂ）に示されるプルダウンメニュー６が用いられる場合、時刻設定画面１には、開始時刻および終了時刻が選択・入力される矩形の領域７が設けられるとともに、この領域７に入力された時刻の取消ボタン４と、入力された時刻の設定ボタン５が設けられている。そして端末に設けられたマウスを操作して端末の画面に表示されるマウスポインタを開始時刻や終了時刻の矩形領域７に移動させ、この矩形領域７に設けられた三角マーク８をクリックすると、時刻の一覧が記載されたメニュー６が垂れ下がるので、この時刻一覧の中から１つの時刻を選択することにより矩形領域７に入力されていた。
【特許文献１】特開２００３−２４８７２０号公報  （段落００３５〜００３７、図１３〜図１５）
【発明の開示】
【発明が解決しようとする課題】
【０００５】
上述した時間設定方法において、テキストボックスを用いて時刻を設定する場合は、キーボード等を用いて矩形の領域に数字を入力する操作が必要であるとともに、マウスやキーボード等を用いて数字を入力する領域を選択していく操作が必要になる。このため数字を入力するための操作性が悪く、時刻を設定するのに時間がかかっていた。
【０００６】
またプルダウンメニューを用いて時刻を設定する場合は、まず時刻を選択するために三角マークをクリックする動作が必要である。そして矩形領域から垂れ下がったメニューの中から時刻を選択するために、選択される時刻のところまでマウスポインタを移動させて、さらに、その時刻をクリックする動作が必要になる。この操作は、開始時刻および終了時刻についてそれぞれ行わなければならないので、時刻を入力するための操作数が多くなる。したがって時刻を入力するための操作性が悪く、時刻を設定するのに時間がかかっていた。
本発明は、選択手段の操作のみで視覚的に時間設定を可能にするとともに、操作性の向上および操作時間の短縮を図った時間設定方法および端末を提供することを目的とする。
【課題を解決するための手段】
【０００７】
上記目的を達成するために、本発明に係る時間設定方法は、通信回線を介して端末とサーバとを接続したＷｅｂシステムの時間設定方法であって、ある時間を時刻毎に分割して、前記時刻毎に１対１に対応して設けられた選択ボタンを時間の流れに沿って並べて選択ボタン群を形成し、前記選択ボタン群全体と、第１番目に設定される時刻を表示する第１時刻領域と、第２番目に設定される時刻を表示する第２時刻領域とを端末の表示手段の表示領域に表示して、時刻設定の繰り返し回数として初期値を設定し、前記繰り返し回数が初期値であるときに、前記表示手段の表示領域を移動する選択手段を用いて、第１番目に設定される時刻に対応した前記選択ボタンを選択して、この選択した前記選択ボタンに対応した時刻を第１番目に設定される時刻として前記第１時刻領域に表示するとともに前記選択ボタンの色を第１番目に設定される時刻として選択された旨を表す色に着色した後、前記繰り返し回数を１段階増加し、前記繰り返し回数が初期値を１段階増加した値であるときに、前記表示手段の表示領域を移動する選択手段を用いて、第２番目に設定される時刻に対応した前記選択ボタンを選択し、この選択した前記選択ボタンに対応した時刻を第２番目に設定される時刻として前記第２時刻領域に表示するとともに前記選択ボタンの色を第２番目に設定される時刻として選択された旨を表す色に着色した後、前記繰り返し回数をさらに１段階増加し、設定された前記繰り返し回数と、設定されるべき時刻の数と同じであるか否かを判断した後、設定された前記繰り返し回数と設定されるべき時刻の数とが同じときに、第１番目に選択された前記選択ボタンに対応した時刻データおよび第２番目に選択された前記選択ボタンに対応した時刻データを前記端末から前記サーバに出力し、これらの前記時刻データを前記サーバに設けられたデータベースに登録して、時刻を設定する、ことを特徴としている。
また、本発明に係る端末は、入力された時刻データを通信回線を介してサーバに登録する端末であって、ある時間を時刻毎に分割して前記時刻毎に１対１に対応して設けられた選択ボタンを時間の流れに沿って並べて形成された選択ボタン群と入力された第１番目に設定される第１時刻を表示する第１時刻領域と入力された第２番目に設定される第２時刻を表示する第２時刻領域とを表示領域に表示する表示手段と、前記表示手段の表示領域を移動し、該表示領域に表示された選択ボタンを選択する選択手段と、前記選択手段により前記選択ボタンが選択された回数を計数するための変数である繰り返し回数を記憶する記憶手段と、前記選択ボタン群の中からある選択ボタンが前記選択手段により選択された場合、前記記憶手段に記憶されている繰り返し回数に基づいて、前記ある選択ボタンに対応する時刻が第１時刻と第２時刻との何れであるかを判定する時刻種別判定手段とを備え、前記表示手段は、前記時刻種別判定手段による判定結果に応じて、前記第１時刻領域又は前記第２時刻領域に前記ある選択ボタンに対応する時刻を表示するとともに、前記ある選択ボタンを前記判定結果に応じた色に着色することを特徴としている。
【０００８】
また本発明に係る時間設定方法は、選択ボタンにより選択された時刻を消去する取消ボタンを表示手段に表示し、取消ボタンを選択手段で選択して、この取消ボタンの選択直前において選択ボタンにより選択されている時刻を消去するとともに、選択直前の操作によって設定された繰り返し回数を１段階減少することを特徴としている。
【発明の効果】
【０００９】
時間設定方法は、設定画面に設けられた選択ボタン群のうち、設定される時間に対応している選択ボタンを選択手段で選ぶだけで時間を設定することができる。したがって時間設定方法は、時間を設定するための操作性が良く、時刻設定を短時間で行うことができる。そして選択ボタン群は、時間に対応している選択ボタンが複数並べられて形成されているので、設定する時間を容易に視認できるとともに、視覚的に容易に操作することができる。
【００１０】
また時間設定方法は、時刻を設定することができる。この場合、同一の選択ボタン群を用いて複数の時刻、例えば開始時刻と終了時刻を設定することができる。なお時間設定方法では、時刻をはじめとして、時間を設定する場合であっても、同一の選択ボタン群を用いて複数の時間を設定することができる。
また時間設定方法は、選択手段によって選択された選択ボタンを着色するので、他の選択されていない選択ボタンと視覚的に容易に識別することができる。
また時刻設定方法は、取消ボタンを操作することにより、選択した時刻を間違えた場合、取消ボタンを１回押すだけで１つ前の操作に戻り、時刻の選択をやり直すことができる。したがって時刻を設定するための操作性が良く、時刻設定を短時間で行うことができる。
【発明を実施するための最良の形態】
【００１１】
以下に、本発明に係る時間設定方法の最良の実施形態について説明する。なお本発明に係る時間設定方法では、例えば時刻や年月日、曜日等の時間を設定することができる。このため本実施形態では、時刻を設定する方法について説明する。なお以下に説明する時間設定方法は、ある作業の開始時刻と終了時刻を設定する場合を例にして説明する。
【００１２】
図１は時刻を設定するためのフローである。図２は端末側における時刻を設定するためのフローである。図３はＷｅｂシステムの説明図である。時間設定方法が用いられるＷｅｂシステム１０は、図３に示されるように、端末１２とサーバ２４が通信回線３０を介して接続された構成である。端末１２は、表示手段１４と、表示手段１４の画面１６に表示されるマウスポインタ等の選択手段１８と、数字や文字を入力するキーボードや選択手段１８を移動等させるマウス等の入力手段２０と、これらの手段１４，１８，２０や時刻選択等を処理する処理手段２２とを備えている。なお選択手段１８は、表示手段１４の画面１６（表示領域）を移動する。またサーバ２４は、時刻設定の処理部２６と、端末１２によって入力された時刻が登録されるデータベース２８を備えている。そして時間設定方法は、図１に示されるように、まずサーバ２４に接続している端末１２の画面１６に時刻の設定画面を表示する（Ｓ１００）。
【００１３】
図４は設定画面の説明図である。この設定画面４０は、開始時刻と終了時刻が入力されるものであり、選択ボタン群４４と、開始時刻および終了時刻が表示される領域（表示部４６）と、時刻の取消ボタン４８と、時刻をサーバ２４に登録する設定ボタン４９を備えている。この選択ボタン群４４は、その全体が表示手段１４の画面に表示されており、複数の選択ボタン４２によって形成されている。この選択ボタン４２は、ある期間を一定の時間毎に分割して、この時間毎に１対１に対応して設けられている。また選択ボタン４２は、時間の流れに沿って並べられている。
【００１４】
そして図４に示される場合では、設定画面４０を用いて時刻を設定するので、ある時間を時刻毎に分割して、この時刻毎に１対１に対応した選択ボタン４２が時間の流れに沿って設けられている。より具体的には、選択ボタン群４４は、５：００から２４：００までの時間を時刻毎に分割して、且つ５：００から２４：００まで順に並べられた選択ボタン４２によって構成されている。
【００１５】
このような設定画面４０は、選択ボタン群４４を構成している選択ボタン４２が選択手段１８によって選択されると、その選択ボタン４２に割り当てられている時刻が開始時刻または終了時刻として表示部４６に表示される構成になっている。そして設定画面４０を用いることにより、端末１２からの操作によって開始時刻および終了時刻がサーバ２４に入力される（Ｓ１１０）。
【００１６】
端末１２の具体的な操作は、次のようになる。まず、開始時刻と終了時刻を連続して選択する操作について説明する。図２に示されるように、端末１２の画面１６に表示された設定画面４０には、繰り返し回数Ｘとして初期値「０」を設定しておく（Ｓ２００）。そして設定画面４０に取消ボタン４８が表示されているので、この取消ボタン４８が押されたか否かを判断する（Ｓ２１０）。すなわちユーザが端末１２の入力手段２０を操作して、取消ボタン４８を押したか押していないかを端末１２に設けられた処理手段２２の処理によって判断する。Ｓ２１０の結果、取消ボタン４８が押されていない場合（Ｎｏの場合）は、設定画面４０に表示されている設定ボタン４９が押されたか否かを判断する（Ｓ２２０）。この判断は、Ｓ２１０の場合と同様にして行われればよい。Ｓ２２０の結果、設定ボタン４９が押されていない場合（Ｎｏの場合）は、回数Ｘが「２」未満であるか否かを判断する（Ｓ２３０）。この場合、回数ＸはＳ２００で設定された初期値「０」のままなので、Ｓ２３０では回数Ｘが「２」未満（Ｙｅｓ）であると判断される。この後、回数Ｘが「０」であるか否かを判断する（Ｓ２４０）。この場合、回数ＸはＳ２００で設定された初期値「０」のままなので、Ｓ２４０では回数Ｘが「０」である（Ｙｅｓ）と判断される。
【００１７】
そして第１番目に開始時刻Ｙが選択される（Ｓ２５０）。この選択は、ユーザが端末１２の入力手段２０を操作することにより、選択手段１８を開始時刻Ｙに応じた選択ボタン４２に移動させて、その選択ボタン４２を押すことにより選択される。すなわち図４に示される場合では、開始時刻Ｙとして９：００を設定するので、９：００を現す選択ボタン４２に選択手段１８を移動させて、その選択ボタン４２を選択する。そして処理手段２２は、選択手段１８によって選択ボタン４２が選択されると、この選択ボタン４２に対応した時刻データ（９：００）を設定画面４０に設けられた開始時刻Ｙの表示部４６に表示させる。なお開始時刻Ｙを示す選択ボタン４２は、図４において右上から左下へ向けて斜線が引かれている。また選択された選択ボタン４２（時刻）が他の選択ボタン４２（時刻）と区別できるように、色１に着色される（Ｓ２６０）。そして回数Ｘの初期値「０」に１を足して、回数Ｘを「１」とする（Ｓ２７０）。この後、終了時刻を設定するために、上述したＳ２１０〜Ｓ２３０のステップを繰り返す。
【００１８】
そしてＳ２３０では回数Ｘが「２」未満（Ｙｅｓ）であると判断されるので、回数Ｘが「０」であるか否かを判断する（Ｓ２４０）。この場合、回数ＸはＳ２７０で設定された「１」なので、Ｓ２４０では回数Ｘが「０」でない（Ｎｏ）と判断される。この後、第２番目として終了時刻Ｚが選択される（Ｓ２８０）。この終了時刻Ｚの選択は、開始時刻Ｙの場合と同様にして行われる。すなわち図４に示される場合では、終了時刻Ｚとして１８：００を設定するので、１８：００を現す選択ボタン４２に選択手段１８を移動させて、その選択ボタン４２を選択する。そして処理手段２２は、選択手段１８によって選択ボタン４２が選択されると、この選択ボタン４２に対応した時刻データ（１８：００）を設定画面４０に設けられた終了時刻Ｚの表示部４６に表示させる。なお終了時刻Ｚを示す選択ボタン４２は、図４において左上から右下へ向けて斜線が引かれている。また選択された選択ボタン４２（時刻）が他の選択ボタン４２（時刻）と区別できるように、色２に着色される（Ｓ２９０）。なおＳ２６０で行う色１の着色と、Ｓ２９０で行う色２の着色とで、色を異なるものとしておけば、色の違いにより開始時刻Ｙと終了時刻Ｚを識別することが可能になる。そして回数Ｘの設定値「１」に１を足して、回数Ｘを「２」とする（Ｓ２７０）。
【００１９】
このようなＳ２００〜Ｓ２７０の操作により開始時刻Ｙと終了時刻Ｚが選択されたので、これを確定する操作を行う。すなわちユーザが端末１２の入力手段２０を操作することにより、選択手段１８を設定ボタン４９に移動させて、設定ボタン４９を押す。これによりＳ２１０ではＮｏが選択され、Ｓ２２０ではＹｅｓが選択される。この後、回数Ｘが「２」であるか否かが判断される（Ｓ３００）。この場合、開始時刻Ｙおよび終了時刻Ｚのいずれも選択されているので回数Ｘは「２」となっている。したがって、Ｓ３００では回数Ｘが「２」であると判断されて、結果Ａとして「１」が設定される（Ｓ３１０）。このようなＳ２００〜Ｓ３１０の操作により、開始時刻Ｙと終了時刻Ｚが端末１２で選択される。
【００２０】
次に、開始時刻Ｙおよび終了時刻Ｚのいずれも選択しないで端末１２の操作を終了する場合と、端末１２で選択した開始時刻Ｙまたは終了時刻Ｚを取り消す場合について説明する。まず端末１２に設定画面４０を表示させたが、開始時刻Ｙおよび終了時刻Ｚのいずれも選択しないで端末１２の操作を終了する場合は、設定画面４０に設けられた取消ボタン４８を押せばよい。すなわち、まず端末１２の画面１６に設定画面４０を表示させると、設定画面４０に繰り返し回数Ｘとして初期値「０」が設定される（Ｓ２００）。この後、取消ボタン４８が押されたか否かを判断する（Ｓ２１０）。この場合、取消ボタン４８が押されているのでＹｅｓの判断となり、回数Ｘが「０」であるか否かを判断する（Ｓ３２０）。そして端末１２に設定画面４０を表示したが直に操作を終了するので、回数Ｘは初期値「０」のままである。したがって回数Ｘは「０」である（Ｙｅｓ）と判断され、結果Ａとして「０」が設定される（Ｓ３３０）。このような操作により、端末１２の操作が終了する。
【００２１】
また端末１２で選択した開始時刻Ｙまたは終了時刻Ｚを取り消す場合も、設定画面４０に設けられた取消ボタン４８を押せばよい。すなわち、前述したように開始時刻Ｙを選択した後、または終了時刻Ｚを選択した後に、取消ボタン４８が押されたか否かを判断する（Ｓ２１０）。この場合、取消ボタン４８が押されているのでＹｅｓの判断となり、回数Ｘが「０」であるか否かを判断する（Ｓ３２０）。そして、既に開始時刻Ｙまたは終了時刻Ｚが選択されているので、回数Ｘは「１」または「２」となっている。したがって回数Ｘは「０」でない（Ｎｏ）と判断される。さらに回数Ｘが「１」であるか否かを判断する（Ｓ３４０）。この場合、開始時刻Ｙを取り消すときは、回数Ｘが「１」である（Ｙｅｓ）と判断され、開始時刻Ｙの値を無くす（Ｓ３５０）。すなわち選択された開始時刻Ｙと、開始時刻Ｙの表示部４６に表示されている値を無くす。そして色１に着色されている開始時刻Ｙを現す選択ボタン４２を無色に設定し（Ｓ３６０）、この後、回数Ｘの設定値「１」から１を引いて「０」とする（Ｓ３７０）。
【００２２】
一方、終了時刻Ｚを取り消すときは、回数Ｘが「１」でない（Ｎｏ）と判断され、終了時刻Ｚの値を無くす（Ｓ３８０）。すなわち選択された終了時刻Ｚと、終了時刻Ｚの表示部４６に表示されている値を無くす。そして色２に着色されている終了時刻Ｚを現す選択ボタン４２を無色に設定し（Ｓ３９０）、この後、回数Ｘの設定値「２」から１を引いて「１」とする（Ｓ３７０）。これにより開始時刻Ｙまたは終了時刻Ｚを再度選択することが可能になる。そして前述した操作を行って、開始時刻Ｙや終了時刻Ｚを再度選択すればよい。
【００２３】
次に、開始時刻Ｙおよび終了時刻Ｚの両方を選択しないうちに設定ボタン４９が押されてしまった場合について説明する。この場合、設定画面４０に表示されている設定ボタン４９が押されたか否かの判断を行って（Ｓ２２０）、設定ボタン４９が押されている（Ｙｅｓ）と判断した後、回数Ｘが「２」であるか否かを判断する（Ｓ３００）。開始時刻Ｙおよび終了時刻Ｚの両方が選択されていないときは、回数Ｘが「０」または「１」となっているので、Ｓ３００では回数Ｘが「２」でない（Ｎｏ）と判断される。これにより、端末１２の画面１６には入力エラー画面が表示される（Ｓ４００）。
【００２４】
図５は入力エラー画面の説明図である。入力エラー画面５０には、開始時刻Ｙおよび終了時刻Ｚの両方が選択されていないことを示す「入力エラー」が表示されているとともに、端末１２を操作するユーザが確認するため確認ボタン５２が設けられている。そして入力手段２０を操作することにより選択手段１８を確認ボタン５２に移動させて、確認ボタン５２を押し（Ｓ４１０）、前述した開始時刻Ｙまたは終了時刻Ｚの選択を行う。
【００２５】
次に、開始時刻Ｙおよび終了時刻Ｚを選択した後、さらに時刻を選択しようとした場合について説明する。この場合、開始時刻Ｙおよび終了時刻Ｚのいずれも選択しているので、回数Ｘは「２」となっている。このためＳ２３０における回数Ｘが「２」未満であるか否かの判断では、回数Ｘが「２」以上である（Ｎｏ）と判断される。この判断の後は、Ｓ２１０における取消ボタン４８が操作されたか否かの判断に戻る。したがって開始時刻Ｙおよび終了時刻Ｚの他に、時刻が選択されることはない。
【００２６】
このような端末１２における開始時刻Ｙと終了時刻Ｚの選択により、結果Ａとして「０」または「１」が設定されている。そして、この結果Ａと、選択された選択ボタンに対応した時刻データ（開始時刻データおよび終了時刻データ）は端末１２からサーバ２４に出力される。サーバ２４は、図１に示されるように、結果Ａが「１」であるか否かを判断する（Ｓ１２０）。この判断は、サーバ２４の処理部２６によって行われる。そして端末１２において開始時刻Ｙおよび終了時刻Ｚのいずれもが選択されている場合は、結果Ａが「１」がである（Ｙｅｓ）と判断されて、サーバ２４に設けられたデータベース２８に端末１２で選択された開始時刻Ｙと終了時刻Ｚが登録される（Ｓ１３０）。これによりＷｅｂシステム１０を用いた開始時刻Ｙと終了時刻Ｚの設定が終了する。これに対し、端末１２において開始時刻Ｙおよび終了時刻Ｚのいずれも選択されていない場合は、結果が「０」である（Ｎｏ）であると判断されて、終了する。
【００２７】
このように時間設定方法は、設定画面４０に設けられた選択ボタン群４４のうち、開始時刻と終了時刻を示す選択ボタン４２を選択手段１８で選択すればこれらの時刻を設定することができる。すなわち選択手段１８としてマウスを用いている場合には、２回のクリックで開始時刻と終了時刻を選択することができる。また選択した時刻を間違えた場合、すなわちマウスでクリックした箇所が間違っていた場合は、取消ボタン４８を１回押すだけで１つ前の操作に戻り、時刻の選択をやり直すことができる。したがって時刻を設定するための操作性が良く、時刻設定を短時間で行うことができる。
【００２８】
また時間設定方法は、Ｗｅｂシステム１０に用いられている設定画面４０に時刻を示す選択ボタン４２が複数並べられた選択ボタン群４４が表示されるとともに、開始時刻や終了時刻が選択された選択ボタン４２が着色されるので、視覚的に操作することができる。すなわちＨＴＭＬやＪＡＶＡ（登録商標）スクリプトを用いて、時刻設定を行うことができる。
【図面の簡単な説明】
【００２９】
【図１】時刻を設定するためのフローである。
【図２】端末側における時刻を設定するためのフローである。
【図３】Ｗｅｂシステムの説明図である。
【図４】設定画面の説明図である。
【図５】入力エラー画面の説明図である。
【図６】従来技術に係る時間設定方法の表示画面を示す説明図である。
【符号の説明】
【００３０】
１２………端末、１４………表示手段、１８………選択手段、２０………入力手段、２４………サーバ、２８………データベース、４０………設定画面、４２………選択ボタン、４４………選択ボタン群。
【図１】
0004530942.tif 000002
【図２】
0004530942.tif 000003
【図３】
0004530942.tif 000004
【図４】
0004530942.tif 000005
【図５】
0004530942.tif 000006
【図６】
0004530942.tif 000007